(57)【要約】      （修正有）【課題】水平搬送装置を安定的に旋回させ、安定した荷役を行ううことができる水平スクリュー式サイロ及びこれを備えた貨物運搬船を提供する。【解決手段】水平スクリュー式サイロ１０は、貨物Ｃをセンターコラム１４と貨物倉２０の円筒壁面２０ｄとの間で水平搬送する水平搬送装置４０と、水平搬送装置４０を旋回動作させる旋回装置３９とを備える。旋回装置３９は、旋回フレーム３０の円筒壁面２０ｄ側の端部に設けられ、円筒壁面２０ｄに沿って設けられたレール部２０ｅ上を旋回フレーム３０の一部の荷重を支持しながら転動する走行車輪３１と、レール部２０ｅの近傍に円筒壁面２０ｄに沿って設けられたピンギアと噛合するピニオンを有し、ピニオンを回転駆動することで旋回フレーム３０を旋回動作させる駆動機３２ａとを備える。【選択図】図３
2014028560.tif 000002
【特許請求の範囲】
【請求項１】
上部に貨物の供給口を有し粉状、粒状、塊状又はペレット状の貨物を収容する内部に筒形の壁面を有する貨物倉と、
前記貨物倉の内部の上部位置に配置されて前記貨物倉の中心軸を旋回軸として旋回駆動され、先端が前記壁面側に向かって延びる旋回フレームを有する旋回装置と、
前記中心軸を旋回軸とし前記旋回フレームに吊下げワイヤを介して吊り下げられて前記旋回フレームの旋回動作に従動して旋回移動すると共に、前記吊下げワイヤの巻き上げ又は繰り出し動作によって上下方向に移動し、前記貨物を前記貨物倉の中心部と前記壁面との間で水平方向に搬送して散布及び集荷を行うスクリュー式の水平搬送装置とを備え、
前記水平搬送装置によって集荷された前記貨物を前記貨物倉の外部に排出する水平スクリュー式サイロにおいて、
前記旋回装置は、
前記旋回フレームの前記壁面側の端部に設けられ、前記壁面側に前記旋回フレームの旋回中心軸と略一致するように設けられた円環状のレール部上を前記旋回フレームの一部の荷重を支持しながら転動する走行車輪と、
前記レール部に沿って設けられた被噛合部と噛合する歯車部を有すると共にこの歯車部を回転駆動することで前記旋回フレームを旋回動作させる駆動装置とを備える
ことを特徴とする水平スクリュー式サイロ。
【請求項２】
前記貨物倉の中心に上下方向に延びるように固定配置されたセンターコラムを有し、このセンターコラムを介して前記水平搬送装置からの前記貨物を前記貨物倉の外部に排出する
ことを特徴とする請求項１記載の水平スクリュー式サイロ。
【請求項３】
前記被噛合部及び歯車部は、ピンギア・アンド・ピニオン又はラック・アンド・ピニオンからなる
ことを特徴とする請求項１又は２記載の水平スクリュー式サイロ。
【請求項４】
請求項１〜３のいずれか１項記載の水平スクリュー式サイロを船倉に搭載した貨物運搬船。
【発明の詳細な説明】
【技術分野】
【０００１】
この発明は、粉体、細粒、塊状又はペレット状、高水分含有物等の貨物を積載する水平スクリュー式サイロに関し、特に貨物運搬船に搭載又は船体の一部として一体的に組み込み可能な水平スクリュー式サイロ及びこれを備えた貨物運搬船に関する。
【背景技術】
【０００２】
近年、粉体、細粒、塊状、高水分含有物等の貨物を積み付け効率良く、且つ荷役効率高く積載するサイロが提案されている（特許文献１，２）。このようなサイロは、例えば陸上に設置され、例えば円筒形の貨物倉に貨物をばら積み状態で積載することができるので、これを貨物運搬船に適用することも検討されている。
【０００３】
通常、このような貨物倉を有するサイロには、貨物を水平方向に搬送して貨物倉内に投入するための水平搬送装置としての水平コンベア等が設けられており、この水平コンベアの一端は貨物倉の内壁面に設けられたレール部上を走行する走行車輪を駆動する走行装置により支持され、貨物倉内を旋回方向に旋回しながら貨物を投入可能に構成されている。しかし、走行車輪を直接駆動する方式の場合、スリップ等が発生した場合は安定して旋回することができない可能性がある。
【先行技術文献】
【特許文献】
【０００４】
【特許文献１】特開平７−１７２５８６号公報
【特許文献２】実公昭５７−５２０５９号公報
【発明の概要】
【発明が解決しようとする課題】
【０００５】
この発明は、水平搬送装置を安定的に旋回させ、安定した荷役を行うことができる水平スクリュー式サイロ及びこれを備えた貨物運搬船を提供することを目的とする。
【課題を解決するための手段】
【０００６】
本発明に係る水平スクリュー式サイロは、上部に貨物の供給口を有し粉状、粒状、塊状又はペレット状の貨物を収容する内部に筒形の壁面を有する貨物倉と、前記貨物倉の内部の上部位置に配置されて前記貨物倉の中心軸を旋回軸として旋回駆動され、先端が前記壁面側に向かって延びる旋回フレームを有する旋回装置と、前記中心軸を旋回軸とし前記旋回フレームに吊下げワイヤを介して吊り下げられて前記旋回フレームの旋回動作に従動して旋回移動すると共に、前記吊下げワイヤの巻き上げ又は繰り出し動作によって上下方向に移動し、前記貨物を前記貨物倉の中心部と前記壁面との間で水平方向に搬送して散布及び集荷を行うスクリュー式の水平搬送装置とを備え、前記水平搬送装置によって集荷された前記貨物を前記貨物倉の外部に排出する水平スクリュー式サイロにおいて、前記旋回装置は、前記旋回フレームの前記壁面側の端部に設けられ、前記壁面側に前記旋回フレームの旋回中心軸に略一致するように設けられた円環状のレール部上を前記旋回フレームの一部の荷重を支持しながら転動する走行車輪と、前記レール部に沿って設けられた被噛合部と噛合する歯車部を有すると共にこの歯車部を回転駆動することで前記旋回フレームを旋回動作させる駆動装置とを備えることを特徴とする。
【０００７】
本発明の一実施形態においては、前記貨物倉の中心に上下方向に延びるように固定配置されたセンターコラムを有し、このセンターコラムを介して前記水平搬送装置からの前記貨物を前記貨物倉の外部に排出する。
【０００８】
本発明の他の実施形態においては、前記被噛合部及び歯車部は、ピンギア・アンド・ピニオン又はラック・アンド・ピニオンからなる。
【０００９】
本発明に係る貨物運搬船は、上記記載の水平スクリュー式サイロを船倉に搭載したものである。
【発明の効果】
【００１０】
本発明によれば、水平搬送装置を安定的に旋回させ、安定した荷役を行うことができる。
【図面の簡単な説明】
【００１１】
【図１】本発明の第１の実施形態に係る水平スクリュー式サイロを搭載した貨物運搬船の全体構成を示す側方断面図である。
【図２】同貨物運搬船の上方平面図である。
【図３】図２のＡ−Ａ’拡大断面図である。
【図４】図３のＢ−Ｂ’拡大断面図である。
【図５】図３のＣ−Ｃ’拡大断面図である。
【図６】同水平スクリュー式サイロの水平搬送装置の一部拡大概要図である。
【図７】図３の一部拡大断面図である。
【図８】図７のＤ−Ｄ’断面図である。
【図９】本発明の第２の実施形態に係る水平スクリュー式サイロの一部構成を示す断面図である。
【発明を実施するための形態】
【００１２】
以下、添付の図面を参照して、この発明の実施の形態に係る水平スクリュー式サイロ及びこれを備えた貨物運搬船を詳細に説明する。
【００１３】
［第１の実施形態］
図１は、本発明の第１の実施形態に係る水平スクリュー式サイロを搭載した貨物運搬船の全体構成を示す側方断面図である。また、図２は貨物運搬船の上方平面図、図３は図２のＡ−Ａ’拡大断面図、図４は図３のＢ−Ｂ’拡大断面図、図５は図３のＣ−Ｃ’拡大断面図である。更に、図６は水平スクリュー式サイロの水平搬送装置の一部拡大概要図、図７は図３の一部拡大断面図、図８は図７のＤ−Ｄ’断面図である。図１及び図２に示すように、貨物運搬船１は、粉体、細粒、塊状、ペレット状、高水分含有物等の貨物を運搬する船舶である。
【００１４】
貨物運搬船１は、底部の船底外板２の上に二重底板３を有すると共に、側面部に外側外板４を有する。また、貨物運搬船１は、上部に上甲板５が設けられている。船首部６と船体の前後方向に反対側の船尾部７の機関室の上には、船橋７ａを備えている。船首部６と船尾部７との間には、貨物Ｃを収容する例えば円筒形の水平スクリュー式サイロ１０を複数有している。貨物運搬船１は、例えば推進装置を有さないメガフロートや艀等も含むものである。
【００１５】
図３に示すように、水平スクリュー式サイロ１０は、筒形の例えば円筒形の貨物倉２０を備える。貨物倉２０の内部の中心部には、垂直方向に延びるセンターコラム１４が固定され、その上部に貨物倉２０の上部中央まで延びる旋回筒１１が設けられている。貨物倉２０の内部の上部位置には、旋回装置３９が設けられ、この旋回装置３９は、旋回筒１１と共に旋回して先端が貨物倉２０の内壁面まで延びる旋回フレーム３０を備えている。旋回フレーム３０には、水平搬送装置４０が吊り下げられている。水平搬送装置４０は、貨物Ｃの上面高さに応じて旋回装置３９の旋回フレーム３０からの吊り下げ量の制御によって、上下方向の位置を制御されると共に旋回フレーム３０と共に旋回する。
【００１６】
旋回筒１１の上端には、上から貨物Ｃを投入するための供給シュート１１ｃが設けられている。供給シュート１１ｃの下方には、水平スクリューコンベア１２が配置され、水平スクリューコンベア１２の排出部には、上下方向に伸縮するテレスコピックシュート１３が配置されている。テレスコピックシュート１３の排出口は、水平搬送装置４０の旋回中心側端部上に位置している。水平搬送装置４０は、供給シュート１１ｃ、水平スクリューコンベア１２、テレスコピックシュート１３を介して受け入れた貨物Ｃを径方向の外側に向けて搬送し、その過程で貨物Ｃを径方向に平均的に散布する。また、水平搬送装置４０は、旋回装置３９の旋回フレーム３０の旋回動作に伴い旋回して、貨物Ｃを周方向に均一に散布する。また、水平搬送装置４０は、貨物Ｃを掻き取って径方向の内側に搬送し、センターコラム１４を介して貨物倉２０の中央下端に払い出す。貨物倉２０から払い出された貨物Ｃは、排出コンベア１８を介して外部に排出される。なお、付着性が低い貨物Ｃを取り扱う場合には、上記供給シュート１１ｃ及び水平スクリューコンベア１２を、図示しない傾斜シュートに置き換えることも可能である。
【００１７】
次に、各部の詳細について説明する。
貨物倉２０は、円筒側壁部２０ａと、この円筒側壁部２０ａの下端を塞ぐ底面部２０ｂと、円筒側壁部２０ａの上端を塞ぐ上面部２０ｃとを備えて構成されている。円筒側壁部２０ａの内面は、円筒壁面２０ｄを形成している。底面部２０ｂ及び上面部２０ｃは、平面形状の円板形の部材からなる。なお、底面部２０ｂは、図示のように水平に形成することもできるが、貨物倉２０からの排水性を考慮する場合には、外周側から中央側に向かって下がる構造となるように形成するようにしても良い。
【００１８】
水平スクリュー式サイロ１０の上面部２０ｃには、貨物を受け入れるための穴が形成されており、この穴の部分に旋回筒１１の上端が旋回軸受１１ａを介して回転可能に取り付けられている。旋回筒１１の中央には、固定の貨物供給口１１ｂから続く旋回筒１１と共に旋回する供給シュート１１ｃが配置されている。センターコラム１４は、旋回筒１１の下端部に軸受１１ｄを介して接続されている。センターコラム１４は、旋回筒１１の下端部から貨物倉２０の中心を通り底面部２０ｂまで延びており、底面部２０ｂに固定されている。図示は省略するが、センターコラム１４は、ほぼ全周にわたって開口し、上下方向に多段に並んで形成された受入部（受入口）を有し、後述する水平搬送装置４０でセンターコラム１４側に搬送されてくる貨物Ｃをその内部に搬入できるように構成されている。
【００１９】
円筒側壁部２０ａの円筒壁面２０ｄの上部には、円筒壁面２０ｄを一周するように円筒壁面２０ｄから断続的又は連続的に突出したレール受け部２０ｆが形成されている。このレール受け部２０ｆの上面には、円筒壁面２０ｄに沿ったレール台座部２０ｇ及びその上面に配置されたレール部２０ｅが設けられている。図４及び図６に示すように、旋回装置３９の旋回フレーム３０は、中央部を旋回筒１１に支持されると共に、円筒壁面２０ｄ側の端部が円筒壁面２０ｄのレール部２０ｅ上に走行車輪３１を介して支持されている。旋回フレーム３０は、旋回筒１１と共に旋回駆動される。走行車輪３１は、旋回フレーム３０の一部の荷重を支持しながら自由転動可能に旋回フレーム３０に設けられている。
【００２０】
また、旋回装置３９は、旋回フレーム３０の円筒壁面２０ｄ側の端部に設けられた、レール台座部２０ｇの内周面側に取付ブラケット部３３ｃを介して設けられた被噛合部のピンギア３３ｂと噛合するピニオン（歯車部）３３ａと、このピニオン３３ａを回転駆動する駆動機３２ａ及び減速機３２ｂとを備えている。また、図３に示すように、旋回装置３９の旋回フレーム３０の上部には、吊下げワイヤ３４を巻き取るためのウィンチ３５やワイヤシーブ３６が設けられている。
【００２１】
なお、旋回装置３９のピニオン３３ａは、その回転軸と減速機３２ｂの出力軸との間に延長軸やユニバーサルジョイント等を介して接続され駆動されるようにしても良い。ピニオン３３ａは、図８に示すように、その回転軸３３ａａが旋回フレーム３０の旋回の中心軸Ｐと平行となるように配置されている。また、ピンギア３３ｂは、その配置ピッチ円の中心と上記中心軸Ｐとが一致するように設けられている。ピニオン３３ａ及びピンギア３３ｂは、それぞれのピッチ円がほぼ接するように配置されている。更に、駆動機３２ａの出力軸と減速機３２ｂの入力軸とは結合されている。なお、ピンギア３３ｂは、レール台座部２０ｇに設けずに、レール受け部２０ｆや円筒壁面２０ｄに直接設けられた取付ブラケット部３３ｃを介して配置するようにしても良い。
【００２２】
水平搬送装置４０は、旋回フレーム３０に水平状態を維持した状態で複数の接続点３４ａ，３４ｂ（図５参照）で吊下げワイヤ３４に接続され、この吊下げワイヤ３４によって吊り下げられている。旋回装置３９は、ウィンチ３５によりこの吊下げワイヤ３４を旋回フレーム３０上のワイヤシーブ３６を介して巻き取ったり、繰り出したりすることで、水平搬送装置４０全体を上下移動可能に支持している。
【００２３】
水平搬送装置４０は、図５に示すように、例えばセンターコラム１４の周囲に配置された旋回ローラユニット４５と上記吊下げワイヤ３４とを介して、貨物倉２０内を旋回及び上下移動可能に取り付けられている。水平搬送装置４０は、貨物倉２０内の貨物Ｃを、貨物倉２０の中心部（ここでは、センターコラム１４）と円筒壁面２０ｄとの間で水平方向に搬送して散布及び集荷を行うものである。なお、旋回ローラユニット４５は、本例ではセンターコラム１４に対して水平方向に加わる力のみを支持する構造であるため、上下方向には自在に動けるように構成されている。
【００２４】
水平搬送装置４０は、貨物倉２０の中心軸から円筒壁面２０ｄに向かって径方向に延びるスクリューフレーム部４８を有する。スクリューフレーム部４８は、例えば旋回ローラユニット４５に一体接合されている。スクリューフレーム部４８は、貨物倉２０内の貨物Ｃを水平方向に搬送するための、水平搬送装置４０の長手方向に延びてその短手方向に並設された一対の水平スクリュー４１，４２を支持する。また、スクリューフレーム部４８は、水平スクリュー４１，４２を駆動するための駆動機４３，４４を円筒壁面２０ｄ側の端部に備える。駆動機４３，４４は、更にそれぞれ水平スクリュー４１，４２のスクリュー軸に取り付けられており、これにより、駆動機４３，４４が作動することにより発生する転倒反力をスクリューフレーム部４８が受け止めて駆動機４３，４４が転倒しないように構成されている。
【００２５】
なお、上記各接続点３４ａ，３４ｂは、図５に示すように、水平搬送装置４０の長手方向の両端の２箇所において、それぞれ短手方向に２箇所ずつ設けられている。具体的には、接続点３４ａはスクリューフレーム部４８の円筒壁面２０ｄ側端部に、接続点３４ｂはスクリューフレーム部４８のセンターコラム１４側端部に、それぞれ設けられている。
【００２６】
水平スクリュー４１は、図５及び図６に示すように、図中矢印で示す水平搬送装置４０の揚荷役時の旋回方向Ｔの先行側（前方側）に配置され、水平スクリュー４２は後続側（後方側）に配置されている。各水平スクリュー４１，４２は、本例では水平スクリュー４１のスクリュー外径が水平スクリュー４２のスクリュー外径よりも小さくなるように異径のスクリュー外径を備えて構成され、例えば積載されている貨物Ｃの上面ＣＳ（図６参照）から所定量の深さＤ１だけ貨物Ｃを掻き取り可能に配置されている。スクリュー外径が上記のように異径に形成されることにより、例えば水平スクリュー４１が深さＤ１よりも浅い貨物Ｃを掻き取った後に、残りの貨物Ｃを水平スクリュー４２が掻き取り、上記所定量の深さＤ１に相当する厚さの貨物Ｃを掻き取り可能な構成となっている。
【００２７】
水平搬送装置４０の各水平スクリュー４１，４２は、貨物Ｃを貨物倉２０の中心と円筒壁面２０ｄとの間で水平方向に搬送し、散布や分散、集荷や収集を行うものである。これらは、相互に逆方向に回転するように駆動機４３，４４により駆動される。各水平スクリュー４１，４２は、例えば正回転では貨物Ｃが円筒壁面２０ｄ側に移動し、逆回転では貨物Ｃがセンターコラム１４側に移動するように構成されている。
【００２８】
テレスコピックシュート１３は、水平スクリューコンベア１２からの貨物Ｃを、水平搬送装置４０に対して貨物Ｃの自由落下（降下）により供給するものであり、水平搬送装置４０の上下移動に伴って、伸縮するように構成されている。水平スクリューコンベア１２は、旋回フレーム３０の旋回に伴って旋回し、この水平スクリューコンベア１２の一端側が供給シュート１１ｃの下方に配置され、他端側がテレスコピックシュート１３の上方に配置されている。
【００２９】
テレスコピックシュート１３の下端は、水平スクリュー４１，４２間のセンターコラム１４の近傍位置に配置される。従って、テレスコピックシュート１３は、積荷役の際に貨物Ｃを旋回する水平搬送装置４０の上に確実に落とすためのフィーダの役割を担っている。
【００３０】
また、図３に示すように、水平スクリュー式サイロ１０の外部の揚荷役設備として、一端側がセンターコラム１４の排出口２９の下方に配置された水平方向搬送を行う排出コンベア１８と、この排出コンベア１８の他端側から貨物Ｃを上方向に搬送する上方向搬送装置８（図１参照）とを備える。揚荷役設備は、その他、図示は省略するが、上甲板５上に設けられた上部水平搬送装置や、陸上側荷役設備と接続される接続用搬送装置８ａ（図１参照）等を備えて構成される。
【００３１】
排出コンベア１８は、例えばスクリューコンベアやベルトコンベア等で構成される。上方向搬送装置８は、排出コンベア１８で搬送された貨物Ｃを、例えば上甲板５上に搬送する装置であり、垂直方向又は斜め上下方向に配置されたスクリューコンベア、ベルトコンベア、バケットコンベア等で構成され、船首部６側、船尾部７側、又はこれらの中央部分等に配置される。
【００３２】
接続用搬送装置８ａは、上方向搬送装置８で搬送された貨物Ｃを接続部を介して、陸上側荷役設備に搬送する装置であり、陸上側荷役設備に貨物Ｃを搬送することができる。
【００３３】
一方、水平スクリュー式サイロ１０の外部の積荷役設備としては、図２に示すように、一端が接続用搬送装置８ｂに接続された分配装置８ｃに接続されると共に他端が水平スクリュー式サイロ１０の貨物供給口１１ｂに接続された供給装置９を備える。陸上側荷役設備から搬送された貨物Ｃは、接続用搬送装置８ｂを介して分配装置８ｃにて分配され、各供給装置９を通して水平スクリュー式サイロ１０に適宜分配供給される。
【００３４】
供給装置９は、分配装置８ｃから供給される貨物Ｃを水平方向に搬送して、各水平スクリュー式サイロ１０の貨物供給口１１ｂに供給する装置である。この供給装置９は、例えば水平方向のスクリューコンベア、ベルトコンベア、バケットコンベア等で構成される。
【００３５】
ここで、水平スクリュー式サイロ１０を利用した積荷役について説明する。積荷役は、貨物Ｃを、陸上側荷役設備、接続用搬送装置８ｂ、分配装置８ｃ、供給装置９、水平スクリュー式サイロ１０の上部の貨物供給口１１ｂ、供給シュート１１ｃ、水平スクリューコンベア１２、テレスコピックシュート１３、水平搬送装置４０を経由して、貨物倉２０内に収容する荷役である。
【００３６】
すなわち、まず、貨物運搬船１が積荷地の岸壁に着岸すると、図示しない接続部により陸上側荷役設備と分配装置８ｃとを接続用搬送装置８ｂを介して接続する。そして、陸上側荷役設備から搬送された貨物Ｃを、接続用搬送装置８ｂを介して分配装置８ｃに供給し、供給装置９を介して各水平スクリュー式サイロ１０の貨物倉２０の上部に設けられた貨物供給口１１ｂに供給する。
【００３７】
貨物供給口１１ｂに供給された貨物Ｃは、供給シュート１１ｃから水平スクリューコンベア１２に落下し、水平方向に搬送されてテレスコピックシュート１３に供給される。テレスコピックシュート１３に供給された貨物Ｃは、テレスコピックシュート１３内を自由落下等することにより、水平搬送装置４０のセンターコラム１４側に搬送される。
【００３８】
水平搬送装置４０は、水平搬送装置４０に搬送された貨物Ｃが、例えば水平スクリュー４１，４２をそれぞれ設定された正回転させることにより、水平搬送装置４０のセンターコラム１４側から円筒壁面２０ｄ側に水平搬送されるように構成されている。また、積荷役開始前に、水平搬送装置４０は、予め設定されている水平搬送装置４０の貨物倉２０内における下限位置レベルから所定の高さを維持する位置に移動される。
【００３９】
このような状態となった水平搬送装置４０に搬送された貨物Ｃは、水平搬送され、水平スクリュー４１，４２の近傍、下方の空間に、センターコラム１４側から円筒壁面２０ｄ側に向かって水平搬送装置４０に沿って順次収容される。このように、貨物Ｃは、貨物倉２０の遠心方向（放射方向）に散布される。
【００４０】
そして、この遠心方向の一帯に貨物Ｃが均されて収容されると、旋回装置３９の駆動機３２ａを駆動して減速機３２ｂを介してピニオン３３ａを回転させ、このピニオン３３ａがピンギア３３ｂと噛合回転することで旋回フレーム３０を予定の角度だけ旋回させて水平搬送装置４０を円周方向（積荷役時の旋回方向Ｔ’、図４及び図５中矢印参照）に移動させ、更にその遠心方向の一帯に貨物Ｃを均して収容する。この処理を繰り返し或いは連続的に行って、水平搬送装置４０を中心軸Ｐを中心に３６０°旋回させて一周させると、その高さにおける貨物Ｃの均し及び収容の積荷が終了する。積荷役では、このような旋回装置３９の旋回フレーム３０の旋回に伴う水平搬送装置４０の旋回によって、貨物Ｃを貨物倉２０の円周方向に均等に散布して収容する。
【００４１】
そして、円筒形の貨物倉２０における一周分の貨物Ｃの均し及び収容が終了した後、旋回フレーム３０に設けられたウィンチ３５により水平搬送装置４０を吊り下げている吊下げワイヤ３４を巻き上げて、水平搬送装置４０の高さを所定量高くする。その後、この高さにおける一周分の貨物Ｃの均し及び収容が終了したら、更に水平搬送装置４０の高さを所定量高くする。
【００４２】
このような処理を繰り返して、貨物Ｃの均し及び収容を底面部２０ｂの直上から満載状態まで行うことで貨物倉２０内に貨物Ｃを満載状態とし、積荷役を終了する。貨物倉２０内への貨物Ｃの積荷役を各水平スクリュー式サイロ１０で同時並行又は順次行って、全ての水平スクリュー式サイロ１０を貨物Ｃの満載状態とする。これにより、水平スクリュー式サイロ１０への貨物Ｃの積荷役を完了する。
【００４３】
次に、水平スクリュー式サイロ１０を利用した揚荷役について説明する。揚荷役は、水平スクリュー式サイロ１０の貨物倉２０内に積載された貨物Ｃを、水平搬送装置４０、センターコラム１４、排出コンベア１８、上方向搬送装置８、上甲板５上の水平搬送装置及び接続用搬送装置８ａ等を経由して、陸上側荷役設備に揚荷する荷役である。
【００４４】
すなわち、まず、貨物運搬船１が揚荷地の岸壁に着岸すると、接続部により陸上側荷役設備と接続用搬送装置８ａとを接続する。次に、水平搬送装置４０の水平スクリュー４１，４２を積荷役のときとは逆回転させ、その後、旋回装置３９の旋回フレーム３０から水平搬送装置４０を吊り下げている吊下げワイヤ３４をウィンチ３５により繰り出して、水平搬送装置４０を、その高さが搭載している貨物Ｃの上面ＣＳに対して、所定の相対高さとなるように移動させる。
【００４５】
次に、旋回装置３９の駆動機３２ａを駆動して減速機３２ｂを介してピニオン３３ａを積荷役時とは逆回転させ、このピニオン３３ａがピンギア３３ｂと噛合回転することで旋回フレーム３０を所定の旋回速度で旋回させ、水平搬送装置４０を積荷役のときとは反対の旋回方向Ｔに旋回させることにより、貨物Ｃを水平搬送装置４０の円筒壁面２０ｄ側からセンターコラム１４側へ掻き取りながら水平搬送する。この水平搬送により、貨物Ｃは、水平搬送装置４０の排出端から、センターコラム１４の受入部を通ってセンターコラム１４内に搬入され、内部で落下してセンターコラム１４の下部に搬送される。
【００４６】
そして、旋回フレーム３０を連続的に旋回させ、水平搬送装置４０を中心軸Ｐ周りに３６０°旋回させると、その高さにおける貨物Ｃのセンターコラム１４への搬送が終了する。揚荷役では、このような旋回装置３９の旋回に伴う水平搬送装置４０の旋回によって、貨物Ｃを貨物倉２０からセンターコラム１４に集荷する。なお、旋回フレーム３０の旋回速度を制御することによって、時間当たりの揚荷量を制御することができる。
【００４７】
そして、円筒形の貨物倉２０における一周分の貨物Ｃの集荷が終了すると、旋回装置３９の旋回フレーム３０から水平搬送装置４０を吊り下げている吊下げワイヤ３４を繰り出して、水平搬送装置４０の高さを所定量低くする。その後、この高さにおける一周分の貨物Ｃの集荷が終了したら、更に水平搬送装置４０の高さを所定量低くする。
【００４８】
このような処理を繰り返して、貨物Ｃの集荷を貨物倉２０内で満載状態の貨物Ｃの上面ＣＳから底面部２０ｂの直上まで行うことで、貨物倉２０内の貨物Ｃをセンターコラム１４内に集荷して空荷状態とする。センターコラム１４の下部に搬送され排出口２９から排出された貨物Ｃを、水平スクリュー式サイロ１０の下方に配置された排出コンベア１８により水平方向に搬送する。
【００４９】
そして、この排出コンベア１８により搬送された貨物Ｃを、上方向搬送装置８により上甲板５上に搬送し、上甲板５上の水平搬送装置、接続用搬送装置８ａ及び接続部を介して陸上側荷役設備に搬送する。これを、各水平スクリュー式サイロ１０の貨物倉２０内の貨物Ｃの全てについて行う。これにより、水平スクリュー式サイロ１０の揚荷役を完了する。
【００５０】
なお、例えば自由安息面を形成して自然落下（降下）により排出可能な貨物を取り扱うように構成したセンターコラム１４を有さない構造の水平スクリュー式サイロ１０においては、スクリューフレーム部４８は、スクリューフレーム部４８の旋回中心と反対側に円筒壁面２０ｄ近傍まで達するように構成すると共に、水平搬送装置４０のスクリューフレーム部４８の円筒壁面２０ｄ側の端部に、円筒壁面２０ｄと接触回転するローラ（図示せず）を設け、排出口２９の直下に図示しない振動払出装置を設け、更に底面部２０ｂの表面が貨物倉２０の外周側から中央に向かって傾斜するように構成することで、上記と同様に水平搬送装置４０を安定的に旋回させて貨物Ｃを収容、排出することができる構造を実現可能である。
【００５１】
このように、本発明の第１の実施形態に係る水平スクリュー式サイロ１０を備えた貨物運搬船１では、旋回装置３９が、ピニオン３３ａを回転動作させることによりピンギア３３ｂと噛合させて旋回フレーム３０を旋回動作させるので、走行車輪３１を直接駆動する場合と比較して、スリップ等による不具合がなく旋回フレーム３０と共に旋回する水平搬送装置４０を安定的に旋回させることができ、安定した荷役を行うことが可能となる。
【００５２】
この構成によれば、例えば貨物運搬船１が傾斜したり揺れたりしてレール部２０ｅの上面が傾いた状態となっても、ピニオン３３ａ及びピンギア３３ｂが噛合状態となっているので、走行車輪３１がスリップ等することなく安定した旋回速度で旋回フレーム３０及び水平搬送装置４０を旋回させることができる。
【００５３】
［第２の実施形態］
図９は、本発明の第２の実施形態に係る水平スクリュー式サイロの一部構成を示す断面図である。なお、既に説明した部分と重複する箇所には同一の符号を附して説明を割愛する。
【００５４】
図９に示すように、第２の実施形態に係る水平スクリュー式サイロは、第１の実施形態に係る水平スクリュー式サイロ１０の旋回装置３９において採用されたピンギア３３ｂの代わりに、ピニオン３３ａと噛合するラック３３ｄをレール受け部２０ｇに設けた点が相違している。このような構成にしても、上述したような第１の実施形態と同様の作用効果を奏することができる。
【００５５】
なお、上述した実施形態においては、好ましい一例として貨物倉２０が円筒形である場合について説明したが、本発明における筒形は、円筒形、楕円筒形、多角筒形等を含むものである。
【００５６】
また、本発明における貨物倉２０の中心部（中心軸の位置）は、貨物倉２０の内部に円を仮想し、この仮想した円の中心を指す。そして、好ましい中心位置は、貨物倉２０が円筒形の場合は円の中心であり、貨物倉２０が円筒形以外の場合（多角形や楕円形の場合）は、次のようになる。すなわち、円筒形以外で（ａ）貨物倉２０の形状が矩形の場合や、対辺が互いに平行となる多角筒形の場合は、各辺と対辺の中点を結ぶ線の交点を貨物倉２０の中心部とする。また、貨物倉２０の形状が円筒形以外で上記（ａ）以外の場合は、筒形の壁面の少なくとも２箇所に内接し、壁面と交差しない最大直径の円を仮想し、この仮想した円の中心を貨物倉２０の中心部とする。なお、条件次第で複数の円が仮想される場合は、その中の任意の一つを選択し、選択した仮想円の中心を貨物倉２０の中心部としても良い。
【符号の説明】
【００５７】
１          貨物運搬船
１０        水平スクリュー式サイロ
１１        旋回筒
１２        水平スクリューコンベア
１３        テレスコピックシュート
１４        センターコラム
２０        貨物倉
３０        旋回フレーム
３１        走行車輪
３３ａ      ピニオン
３３ｂ      ピンギア
３９        旋回装置
３４        吊下げワイヤ
４０        水平搬送装置
４１，４２  水平スクリュー
４３，４４  駆動機
４５        旋回ローラユニット
４８        スクリューフレーム部
【図１】
2014028560.tif 000003
【図２】
2014028560.tif 000004
【図３】
2014028560.tif 000005
【図４】
2014028560.tif 000006
【図５】
2014028560.tif 000007
【図６】
2014028560.tif 000008
【図７】
2014028560.tif 000009
【図８】
2014028560.tif 000010
【図９】
2014028560.tif 000011